(57)【要約】  左右一対の眼鏡レンズは、それぞれ、遠用視領域及び近用視領域と、遠用視領域と近用視領域との間で屈折力が累進的に変化する累進領域とを備える。眼鏡フレームに枠入れされた左右一対の眼鏡レンズは、遠用視領域の基準点である遠用アイポイントの高さ位置が、左右で異なり、遠用視領域と近用視領域とを結ぶ累進帯長が、左右で異なる。
2018220737.tif 000002
【特許請求の範囲】
【請求項１】
左右一対の眼鏡レンズにおいて、
前記左右一対の眼鏡レンズは、それぞれ、遠用視領域及び近用視領域と、前記遠用視領域と前記近用視領域との間で屈折力が累進的に変化する累進領域とを備え、
眼鏡フレームに枠入れされた前記左右一対の眼鏡レンズは、
前記遠用視領域の基準点である遠用アイポイントの高さ位置が、左右で異なり、
前記遠用視領域と前記近用視領域とを結ぶ累進帯長が、左右で異なる、
眼鏡レンズ。
【請求項２】
前記眼鏡フレームに枠入れされた前記左右一対の眼鏡レンズのうち、前記遠用アイポイントの高さ位置が高い眼鏡レンズの前記累進帯長が、他方の眼鏡レンズの前記累進帯長より長い、
請求項１に記載の眼鏡レンズ。
【請求項３】
前記眼鏡フレームに枠入れされた前記左右一対の眼鏡レンズにおいて、装用者が一の物体距離を見るときの主注視線上の想定位置の加入度の左右差は、０．０５ディオプター以下である、
請求項１又は請求項２に記載の眼鏡レンズ。
【請求項４】
前記累進帯長は、主注視線上であって、且つ、前記遠用アイポイントと前記近用アイポイントを結ぶ長さであり、
前記遠用アイポイントは、前記装用者が遠方を見るときの眼鏡レンズ上の想定位置であり、
前記近用アイポイントは、前記装用者が近方を見るときの眼鏡レンズ上の想定位置である、
請求項１から請求項３の何れか一項に記載の眼鏡レンズ。
【請求項５】
前記累進帯長は、主注視線上であって、且つ、前記遠用視領域の一の点と前記近用視領域の一の点とを結ぶ長さである、
請求項１から請求項３の何れか一項に記載の眼鏡レンズ。
【請求項６】
それぞれが、遠用視領域及び近用視領域と、前記遠用視領域と前記近用視領域との間で屈折力が累進的に変化する累進領域とを有する左右一対の眼鏡レンズを製造する製造装置において、
装用者の処方情報に基づいて、左右共通の基準レンズを設定する基準レンズ設定手段と、
異なる物体距離上に配置される複数の物点から成る基準物体面を、左右の前記基準レンズに基づいて設定する基準物体面設定手段と、
前記装用者の処方情報に基づいて左右の処方レンズを設定し、且つ、眼鏡フレームに枠入れされた状態において、前記遠用視領域の基準点である遠用アイポイントの高さ位置が左右で異なるように前記左右の処方レンズを設定し、前記設定した左右の処方レンズそれぞれについて、前記基準物体面上の各物点からの主光線に基づいて、前記処方レンズの累進帯を設計する設計手段と、
を備える、
眼鏡レンズの製造装置。
【請求項７】
更に、前記累進帯上における左右の加入効果の差が低減されるように、前記設計手段により設計された左右の処方レンズのうち少なくとも一方の累進帯を補正する補正手段を備える、
請求項６に記載の眼鏡レンズの製造装置。
【請求項８】
前記補正手段は、
前記左右の処方レンズのうち、一方の処方レンズの近用アイポイントの高さ位置が他方の処方レンズの近用アイポイントの高さ位置に近づくように前記累進帯に沿ってシフトさせる、
請求項７に記載の眼鏡レンズの製造装置。
【請求項９】
前記補正手段は、
左の前記処方レンズの累進帯の加入度を表す加入度曲線と、右の前記処方レンズの累進帯の加入度を表す加入度曲線とが近づくように、前記加入度曲線の少なくとも一方を補正する、
請求項７に記載の眼鏡レンズの製造装置。
【請求項１０】
前記左の処方レンズに対応する前記加入度曲線、前記右の処方レンズに対応する前記加入度曲線は、それぞれ、前記左の処方レンズ、前記右の処方レンズの前記累進帯上の前記基準物体面への視野角ベースの加入度曲線である、
請求項９に記載の眼鏡レンズの製造装置。
【請求項１１】
前記設計手段は、
前記設定した左右の処方レンズそれぞれについて、前記基準物体面上の各物点と眼球とを結ぶ光線の当該処方レンズ上の通過位置を推定し、推定した各通過位置の加入度を装用者の処方情報に基づいて算出し、前記累進帯を設計する、
請求項６から請求項１０の何れか一項に記載の眼鏡レンズの製造装置。
【請求項１２】
前記基準物体面設計手段は、
前記左右の基準レンズと、前記装用者の左右の眼球モデルとを含む第１仮想光学モデルを構築し、前記構築した第１仮想光学モデルに基づいて前記基準物体面を設計し、
前記第１仮想光学モデルは、
前記左右の基準レンズの前記遠用アイポイントの高さ位置が左右で等しく、且つ、前記左右の眼球モデルの瞳孔の高さ位置が左右で等しく、
前記設計手段は、
前記左右の処方レンズと、前記装用者の左右の眼球モデルとを含む第２仮想光学モデルを構築し、前記構築した第２仮想光学モデルに基づいて前記累進帯を設計し、
前記第２仮想光学モデルは、
前記左右の処方レンズの前記遠用アイポイントの高さ位置が左右で異なり、且つ、前記左右の眼球モデルの瞳孔の高さ位置が左右で異なり、
前記設計手段は、
前記左右の処方レンズそれぞれについて、前記基準物体面上の各物点と前記第２仮想光学モデルの前記眼球モデルとを結ぶ光線の前記処方レンズ上の通過位置を推定する、
請求項１１に記載の眼鏡レンズの製造装置。
【請求項１３】
それぞれが、遠用視領域及び近用視領域と、前記遠用視領域と前記近用視領域との間で屈折力が累進的に変化する累進領域とを有する左右一対の眼鏡レンズを設計する設計方法において、
装用者の処方情報に基づいて、左右共通の基準レンズを設定する基準レンズ設定ステップと、
異なる物体距離上に配置される複数の物点から成る基準物体面を、左右の前記基準レンズに基づいて設定する基準物体面設定ステップと、
前記装用者の処方情報に基づいて左右の処方レンズを設定し、且つ、眼鏡フレームに枠入れされた状態において、前記遠用視領域の基準点である遠用アイポイントの高さ位置が左右で異なるように前記左右の処方レンズを設定し、前記設定した左右の処方レンズそれぞれについて、前記基準物体面上の各物点からの主光線に基づいて、前記処方レンズの累進帯を設計する設計ステップと、
を含む、
眼鏡レンズの設計方法。
【請求項１４】
それぞれが、遠用視領域及び近用視領域と、前記遠用視領域と前記近用視領域との間で屈折力が累進的に変化する累進領域とを有する左右一対の眼鏡レンズを設計する設計プログラムにおいて、
装用者の処方情報に基づいて、左右共通の基準レンズを設定する基準レンズ設定ステップと、
異なる物体距離上に配置される複数の物点から成る基準物体面を、左右の前記基準レンズに基づいて設定する基準物体面設定ステップと、
前記装用者の処方情報に基づいて左右の処方レンズを設定し、且つ、眼鏡フレームに枠入れされた状態において、前記遠用視領域の基準点である遠用アイポイントの高さ位置が左右で異なるように前記左右の処方レンズを設定し、前記設定した左右の処方レンズそれぞれについて、前記基準物体面上の各物点からの主光線に基づいて、前記処方レンズの累進帯を設計する設計ステップと、
をコンピュータに実行させる、眼鏡レンズの設計プログラム。
【発明の詳細な説明】
【技術分野】
【０００１】
本発明は、眼鏡レンズ、眼鏡レンズの製造装置、設計方法及び設計プログラムに関する。
【背景技術】
【０００２】
遠近両用の累進屈折力レンズは、遠用視領域と近用視領域とを備え、遠用視領域と近用視領域との間で屈折力が累進的に変化する設計となっている。【０００３】
眼鏡店では、例えば専用の補助具を用いて累進屈折力レンズのレイアウトが決定される。例えば、特許文献１では、装用者は、ダミーレンズが装着されたフレームを装用して遠方を見る。検査者は、左右夫々について、補助具とダミーレンズとの相対位置を調節して装用者の瞳孔中心と補助具の遠用基準位置とを一致させて、左右夫々について装用者の瞳孔の中心の位置と対応するレンズ上の位置、すなわち装用者が遠方を見るときのレンズ上の位置（遠用アイポイント）を特定する。そして、遠用アイポイントに基づいて、累進屈折力レンズのレイアウトを決定する。【０００４】
・先行技術文献
特許文献１：特開平６−１３８４２２号公報
特許文献２：国際公開第２０１４／０９７８５１号
【発明の概要】
【０００５】
一般的に、遠近両用の眼鏡が作られるとき、左右で対応する累進レイアウトで累進屈折力レンズが製造される。製造された左右のレンズは夫々、装用者が遠方を見るときのレンズ上の位置（遠用アイポイント）に合わせて眼鏡フレームに枠入れされる。ところで、人の瞳孔の高さ位置（瞳孔中心の高さの位置）は左右で同じとは限らない。このような左右で遠用アイポイントの高さ位置が異なる装用者は、特に近方を見るとき、左右の視線が通過するレンズ上の位置が設計上想定される位置と変わってしまう。そのため、近方が見えにくくなってしまう。
【０００６】
そこで、本発明者は、検討を重ねた結果、瞳孔の高さ位置が左右で異なる装用者に対して良好な視野を提供する眼鏡レンズを見出した。
【０００７】
本発明の一形態に係る左右一対の眼鏡レンズは、それぞれ、遠用視領域及び近用視領域と、遠用視領域と近用視領域との間で屈折力が累進的に変化する累進領域とを備える。眼鏡フレームに枠入れされた左右一対の眼鏡レンズは、遠用視領域の基準点である遠用アイポイントの高さ位置が、左右で異なり、遠用視領域と近用視領域とを結ぶ累進帯長が、左右で異なる。
【０００８】
また、本発明の一形態に係る眼鏡レンズの製造装置は、それぞれが、遠用視領域及び近用視領域と、遠用視領域と近用視領域との間で屈折力が累進的に変化する累進領域とを有する左右一対の眼鏡レンズを製造する装置であり、装用者の処方情報に基づいて、左右共通の基準レンズを設定する基準レンズ設定手段と、異なる物体距離上に配置される複数の物点から成る基準物体面を、左右の基準レンズに基づいて設定する基準物体面設定手段と、装用者の処方情報に基づいて左右の処方レンズを設定し、且つ、眼鏡フレームに枠入れされた状態において、遠用視領域の基準点である遠用アイポイントの高さ位置が左右で異なるように左右の処方レンズを設定し、設定した左右の処方レンズそれぞれについて、基準物体面上の各物点からの主光線に基づいて、処方レンズの累進帯を設計する設計手段と、を備える。
【０００９】
本発明の一形態に係る眼鏡レンズによれば、瞳孔の高さ位置が左右で異なる装用者に対して良好な両眼視が提供される。また、本発明の一形態に係る眼鏡レンズの製造装置によれば、瞳孔の高さ位置が左右で異なる装用者に対して良好な両眼視を提供するのに好適な眼鏡レンズが設計される。
【図面の簡単な説明】
【００１０】
【図１】本発明の一実施形態に係る眼鏡レンズ製造システムの構成を示すブロック図である。
【図２】本発明の一実施形態に係る眼鏡レンズの製造方法を示すフローチャートである。
【図３】本発明の実施例１に係る眼鏡レンズ設計用コンピュータによる眼鏡レンズの設計方法を示すフローチャートである。
【図４】図３のステップＳ１２にて構築される仮想光学モデル例を示す図（図４（ａ）及び図４（ｂ））である。
【図５】図３の設計方法を用いて設計される眼鏡レンズのレイアウトを概略的に示す図である。
【図６】図３のステップＳ１５にて再構築された仮想光学モデル例を示す図（図６（ａ））及びステップＳ１６の実行によって設計された処方レンズを例示する図（図６（ｂ））である。
【図７】本発明の実施例１に係る眼鏡レンズの数値例１Ａにおける加入度曲線を示す図（図７（ａ））及び数値例１Ａにおける遠用ＥＰＨの左右差と累進帯長との関係を示す図（図７（ｂ））である。
【図８】本発明の実施例１に係る眼鏡レンズの数値例１Ａにおいて、視線角度に対する主注視線上の視線通過位置及び加入度数の左右差を示す図（図８（ａ））及び比較例Ａにおいて、視線角度に対する主注視線上の視線通過位置及び加入度数の左右差を示す図（図８（ｂ））である。
【図９】本発明の実施例１に係る眼鏡レンズの数値例１Ｂにおける加入度曲線を示す図（図９（ａ））及び数値例１Ｂにおける遠用ＥＰＨの左右差と累進帯長との関係を示す図（図９（ｂ））である。
【図１０】本発明の実施例１に係る眼鏡レンズの数値例１Ｂにおいて、視線角度に対する主注視線上の視線通過位置及び加入度数の左右差を示す図（図１０（ａ））及び比較例Ｂにおいて、視線角度に対する主注視線上の視線通過位置及び加入度数の左右差を示す図（図１０（ｂ））である。
【図１１】本発明の実施例１に係る眼鏡レンズの数値例１Ｃにおける加入度曲線を示す図（図１１（ａ））及び数値例１Ｃにおける遠用ＥＰＨの左右差と累進帯長との関係を示す図（図１１（ｂ））である。
【図１２】本発明の実施例１に係る眼鏡レンズの数値例１Ｃにおいて、視線角度に対する主注視線上の視線通過位置及び加入度数の左右差を示す図（図１２（ａ））及び比較例Ｃにおいて、視線角度に対する主注視線上の視線通過位置及び加入度数の左右差を示す図（図１２（ｂ））である。
【図１３】本発明の実施例２に係る眼鏡レンズ設計用コンピュータによる眼鏡レンズの設計方法を示すフローチャートである。
【図１４】本発明の実施例２に係る眼鏡レンズの数値例２Ｄにおける加入度曲線を示す図（図１４（ａ））及び数値例２Ｄにおける遠用ＥＰＨの左右差と累進帯長との関係を示す図（図１４（ｂ））である。
【図１５】本発明の実施例２に係る眼鏡レンズの数値例２Ｄにおいて、視線角度に対する主注視線上の視線通過位置及び加入度数の左右差を示す図（図１５（ａ））及び比較例Ｄにおいて、視線角度に対する主注視線上の視線通過位置及び加入度数の左右差を示す図（図１５（ｂ））である。
【図１６】本発明の実施例２に係る眼鏡レンズの数値例２Ｅにおける加入度曲線を示す図（図１６（ａ））及び数値例２Ｅにおける遠用ＥＰＨの左右差と累進帯長との関係を示す図（図１６（ｂ））である。
【図１７】本発明の実施例２に係る眼鏡レンズの数値例２Ｅにおいて、視線角度に対する主注視線上の視線通過位置及び加入度数の左右差を示す図（図１７（ａ））及び比較例Ｅにおいて、視線角度に対する主注視線上の視線通過位置及び加入度数の左右差を示す図（図１７（ｂ））である。
【図１８】本発明の実施例３に係る眼鏡レンズ設計用コンピュータによる眼鏡レンズの設計方法を示すフローチャートである。
【図１９】本発明の実施例３に係る眼鏡レンズの数値例３Ｆにおける加入度曲線を示す図（図１９（ａ））及び数値例３Ｆにおける遠用ＥＰＨの左右差と累進帯長との関係を示す図（図１９（ｂ））である。
【図２０】本発明の実施例３に係る眼鏡レンズの数値例３Ｆにおいて、視線角度に対する主注視線上の視線通過位置及び加入度数の左右差を示す図（図２０（ａ））及び比較例Ｆにおいて、視線角度に対する主注視線上の視線通過位置及び加入度数の左右差を示す図（図２０（ｂ））である。
【発明を実施するための形態】
【００１１】
以下、図面を参照して、本発明の一実施形態に係る眼鏡レンズ製造システムについて説明する。
【００１２】
［眼鏡レンズ製造システム１］
図１は、本発明の一実施形態に係る眼鏡レンズ製造システム１の構成を示すブロック図である。図１に示されるように、眼鏡レンズ製造システム１は、眼鏡店１０及び眼鏡レンズ製造工場２０を有している。眼鏡店１０は、顧客（装用者）に対する処方に応じた眼鏡レンズを発注する。眼鏡レンズ製造工場２０は、眼鏡店１０からの発注を受けて眼鏡レンズを製造する。眼鏡レンズ製造工場２０への発注は、インターネット等の所定のネットワークやＦＡＸ等によるデータ送信を通じて行われる。発注者には眼科医や一般消費者を含めてもよい。
【００１３】
［眼鏡店１０］
眼鏡店１０には、店頭コンピュータ１００が設置されている。店頭コンピュータ１００は、例えばタブレット端末やスマートフォン、デスクトップＰＣ（Personal Computer）、ノートＰＣ等であり、眼鏡レンズ製造工場２０への眼鏡レンズの発注を行うためのソフトウェアがインストールされている。店頭コンピュータ１００には、作業者によるマウスやキーボード等の操作を通じてレンズデータ及びフレームデータが入力される。
【００１４】
レンズデータには、例えば装用者の処方情報（遠用度数、近用度数、加入度数、累進帯長、ベースカーブ、球面屈折力、乱視屈折力、乱視軸方向、プリズム屈折力、プリズム基底方向、瞳孔間距離（ＰＤ：Pupillary Distance）等）、眼鏡レンズの装用条件（遠用アイポイントの位置、角膜頂点間距離、前傾角、フレームあおり角）、眼鏡レンズの種類（単焦点球面、単焦点非球面、多焦点（二重焦点、累進）、コーティング（染色加工、ハードコート、反射防止膜、紫外線カット等））、顧客の要望に応じたレイアウトデータ等が含まれる。
【００１５】
フレームデータには、顧客が選択したフレームの形状データが含まれる。フレームデータは、例えばバーコードタグで管理されており、バーコードリーダによるフレームに貼り付けられたバーコードタグの読み取りを通じて入手することができる。
【００１６】
店頭コンピュータ１００は、発注データ（レンズデータ及びフレームデータ）を例えばインターネット経由で眼鏡レンズ製造工場２０に送信する。
【００１７】
［眼鏡レンズ製造工場２０］
眼鏡レンズ製造工場２０には、ホストコンピュータ２００を中心としたＬＡＮ（Local Area Network）が構築されており、眼鏡レンズの製造装置をなす、眼鏡レンズ設計用コンピュータ２０２や眼鏡レンズ加工用コンピュータ２０４をはじめ多数の端末装置が接続されている。
【００１８】
眼鏡レンズ設計用コンピュータ２０２、眼鏡レンズ加工用コンピュータ２０４は一般的なＰＣであり、それぞれ、眼鏡レンズ設計用のプログラム、眼鏡レンズ加工用のプログラムがインストールされている。ホストコンピュータ２００には、店頭コンピュータ１００からインターネット経由で送信された発注データが入力される。ホストコンピュータ２００は、入力された発注データを眼鏡レンズ設計用コンピュータ２０２に送信する。
【００１９】
［眼鏡レンズ製造工場２０内での眼鏡レンズの製造方法］
［図２のＳ１（眼鏡レンズの設計）］
図２は、眼鏡レンズ製造工場２０内での眼鏡レンズの製造方法を示すフローチャートである。眼鏡レンズ設計用コンピュータ２０２は、受注に応じた眼鏡レンズを設計するためのプログラムがインストールされており、発注データ（レンズデータ）に基づいてレンズ設計データを作成し、発注データ（フレームデータ）に基づいて玉型加工データを作成する。眼鏡レンズ設計用コンピュータ２０２は、作成されたレンズ設計データ及び玉型加工データを眼鏡レンズ加工用コンピュータ２０４に送信する。
【００２０】
［図２のＳ２（眼鏡レンズの製造）］
眼鏡レンズ加工用コンピュータ２０４は、眼鏡レンズ設計用コンピュータ２０２から受信したレンズ設計データ及び玉型加工データを読み込み、加工機２０６を駆動制御する。
【００２１】
例えば、注型重合法によりプラスチック眼鏡レンズを製造する場合を考える。この場合、加工機２０６は、レンズ設計データに従って例えば金属、ガラス、セラミックス等の材料を研削・研磨することにより、レンズの外面（凸面）、内面（凹面）の各面に対応する成形型を製作する。
【００２２】
製作された一対の成形型は、眼鏡レンズの厚みに対応する間隔をもって対向配置され、両成形型の外周面が粘着テープで巻き付けられて、成形型間が封止される。
【００２３】
一対の成形型は、眼鏡レンズ用成形装置にセットされると、粘着テープの一部に孔が開けられ、この孔を通じてレンズ原料液がキャビティ（成形型間の封止空間）に注入される。キャビティに注入され充填されたレンズ原料液は、熱や紫外線照射等によって硬化される。これにより、一対の成形型の各転写面形状及び粘着テープによる周縁形状が転写された眼鏡レンズ基材が得られる。
【００２４】
硬化によって得られた眼鏡レンズ基材は、成形型から取り外される。離型された眼鏡レンズ基材には、アニール処理による残留応力の除去が行われる。この後、染色加工、ハードコート加工、反射防止膜、紫外線カット等の各種コーティングが施される。これにより、眼鏡レンズが完成して眼鏡店１０に納品される。
【００２５】
また、眼鏡レンズ製造工場２０には、生産性を向上させるため、全製作範囲の度数を複数のグループに区分し、各グループの度数範囲に適合した凸面カーブ形状（例えば球面形状、非球面形状など）とレンズ径を有するセミフィニッシュトレンズブランク群が眼鏡レンズの注文に備えて予め用意されていてもよい。
【００２６】
セミフィニッシュトレンズブランクは、例えば樹脂ブランク又はガラスブランクであり、凸面、凹面が夫々、光学面（完成面）、非光学面（未完成面）である。この場合、レンズデータに基づいて最適なセミフィニッシュトレンズブランクが選択され、選択されたセミフィニッシュトレンズブランクが加工機２０６にセットされる。
【００２７】
加工機２０６は、セットされたセミフィニッシュトレンズブランクの凹面をレンズ設計データに従って研削・研磨することにより、アンカットレンズを製作する。
【００２８】
凹面形状製作後のアンカットレンズには、染色加工、ハードコート加工、反射防止膜、紫外線カット等の各種コーティングが施される。
【００２９】
各種コーティング後のアンカットレンズは、眼鏡レンズ設計用コンピュータ２０２により作成される玉型加工データに基づいて外周面が周縁加工される。玉型形状に加工された眼鏡レンズは眼鏡店１０に納品される。また、眼鏡レンズ製造工場２０では、セミフィニッシュトレンズブランクに代えて、凸面及び凹面が両面とも球面に成形されたレンズブランクスを用いて眼鏡レンズが製造加工されてもよい。
【００３０】
［実施例１］
本実施例１では、遠用アイポイントの高さ位置が左右で異なり、左右の遠用度数が同じ装用者に対応した眼鏡レンズの設計について説明する。図３は、本発明の実施例１において眼鏡レンズ設計用コンピュータ２０２により実行される眼鏡レンズの設計方法を示すフローチャートである。
【００３１】
設計対象となる眼鏡レンズには、例示的には、片面累進型、両面累進型、両面複合累進型の遠近両用の各種眼鏡レンズが挙げられる。片面累進型は、累進屈折要素を内面又は外面に持つタイプである。両面累進型は、累進屈折要素を外面と内面の両面に配分したタイプである。両面複合累進型は、縦方向の累進屈折要素を外面に配分し、横方向の累進屈折要素を内面に配分したタイプである。また、片面累進型、両面累進型、両面複合累進型の中近両用累進屈折力レンズや近々累進屈折力レンズなど、屈折力が累進的に変化する累進屈折部を有する他のタイプの眼鏡レンズを設計対象に含めてもよい。
【００３２】
眼光学上、厳密には、眼軸と視線の向きは僅かに異なるが、その差異による影響は実質的に無視できる程度である。そのため、本明細書においては、説明の便宜上、眼軸と視線の向きは眼光学上も一致するものとみなす。
【００３３】
一般的に、遠近両用の眼鏡が作られるとき、左右で対応する累進レイアウトで累進屈折力レンズが製造される。製造された左右のレンズは夫々、装用者が遠方を見るときのレンズ上の位置（遠用アイポイント）に合わせて眼鏡フレームに枠入れされる。そのため、左右で遠用アイポイントの高さ位置が異なる装用者（言い換えると、左右で瞳孔の高さ位置が異なる装用者）は、近方を見るとき、左右で視線の高さ位置が異なり、左右の視線が通過するレンズ上の位置がそれぞれ、設計上想定される位置と変わってしまう。視線の通過するレンズ上の位置が設計上想定される位置と変わってしまうと、設計上想定された度数効果が発揮されない。
【００３４】
また、生理的には、左右の眼に働く調節は常に等しい（ヘリングの等量神経支配の法則（Hering's law of equal innervation））。そのため、左右の眼に作用する加入効果が等しくなるように、従来の累進屈折力レンズは左右で対応する累進レイアウトに設計される。しかし、視線の通過するレンズ上の位置が設計上想定される位置と変わってしまうと、左右の眼に作用する加入効果が変わってしまう。
【００３５】
本発明者は、累進屈折力レンズを評価から遠用アイポイントの左右の高さ位置が異なることにより上述したこれらの課題が生じることを見出し、検討の結果、遠用アイポイントの左右の高さ位置が異なる装用者に対しては、左右の累進帯長を異ならせる累進屈折力レンズを提供することが有効であるという知見に至った。以下、本発明の一実施形態に係る累進屈折力レンズの設計方法について説明する。
【００３６】
図３は、本実施例１において眼鏡レンズ設計用コンピュータ２０２がレンズ設計データを作成する動作を示すフローチャートである。以下、図３を用いて、本実施例１における眼鏡レンズの設計方法を具体的に説明する。
【００３７】
［図３のＳ１１（基準レンズの設定）］
ステップＳ１１では、ホストコンピュータ２００を介して店頭コンピュータ１００より受信した装用者の処方情報に基づいて、左右の基準レンズが設定される。なお、左右の基準レンズは、処方情報として少なくとも遠用度数、加入度数および累進帯長に基づいて設計される。左右の基準レンズは、仮想的に設定されるレンズであって、左右共通の累進屈折力レンズである。本実施例１において、基準レンズは、アイポイントを含むレイアウト及び度数（遠用度数、加入度数）が左右で共通の眼鏡レンズである。なお、基準レンズの中心肉厚は、処方情報や硝材の屈折率等に基づいて決定される。
【００３８】
［図３のＳ１２（基準レンズに基づく仮想光学モデルの構築）］
ステップＳ１２では、装用者が左右の基準レンズを装用した状態を想定した仮想光学モデル（第１仮想光学モデル）が構築される。図４（ａ）及び（ｂ）に、ステップＳ１２で構築される仮想光学モデルの一例を示す。図４（ａ）、図４（ｂ）は、それぞれ、左右に並ぶ眼球モデルを上方、側方から視た図である。
【００３９】
図４（ａ）及び図４（ｂ）に示すように、仮想光学モデルは、左右の眼球モデルＥ（ＥＲ及びＥＬ）と、基準レンズＢＬ（ＢＬＲ及びＢＬＬ）とを含む。ステップＳ１２において、眼球モデルＥＲ及びＥＬの高さ（ＥＲ及びＥＬの瞳孔の高さ）は同じ高さに設定され、基準レンズＢＬＲ及びＢＬＬはそれぞれ、遠用アイポイントの高さ位置と眼球モデルの瞳孔の高さ位置が同じになるように設定される。
【００４０】
なお、ステップＳ１２において、実際の装用者の左右の瞳孔の高さ位置の平均をとって眼球モデルＥＲ及びＥＬの高さ位置を決定してもよい。言い換えると、眼球モデルＥＲ及びＥＬのうち、一方の高さ位置を上にシフトさせ、他方の高さ位置を下にシフトさせてもよい。また、眼球モデルＥＲ及びＥＬのうち、一方の高さ位置は変えずに、他方の高さ位置を上又は下にシフトさせることで、眼球モデルＥＲ及びＥＬの高さ位置を等しくしてもよい。この場合、眼球モデルＥＲ及びＥＬのうち、装用者の優位眼の眼球モデルの高さ位置を変えず、他方の高さ位置を上又は下にシフトさせてもよい。また、検眼時に得られた視力の高いほうの眼球モデルの高さ位置を変えず、他方の高さ位置を上又は下にシフトさせてもよい。
【００４１】
眼球の眼軸長は、遠視、近視で異なる。そこで、眼鏡レンズ設計用コンピュータ２０２は、遠視、近視の度合いで眼軸長がどれだけ異なるかをメモリに予め記憶している。ステップＳ１２では、発注データに含まれる装用者の処方値（球面屈折力、乱視屈折力）に従い、適切な眼軸長を持つ眼球モデルが選択され、選択された眼球モデルが仮想モデル空間に配置される。左右の眼球モデルＥＲ、ＥＬは、互いの眼球回旋中心Ｏ（眼球モデルＥＲの回旋中心ＯＲと眼球モデルＥＬの回旋中心ＯＬ）が瞳孔間距離（ＰＤ：Pupil Distance）だけ離れた位置に配置される。
【００４２】
また、ステップＳ１２において、基準レンズＢＬＲ及びＢＬＬはそれぞれ、眼球モデルＥＲ、ＥＬに対して角膜頂点間距離（ＣＶＤ: Corneal Vertex Distance）を空けた位置に配置される。角膜頂点間距離は、基準レンズＢＬＲ及びＢＬＬの後方頂点と眼球モデルＥＲ及びＥＬの角膜頂点との距離であり、例えば１２．５ｍｍとする。また、基準レンズＢＬは、眼鏡レンズの傾き（前傾角、フレームあおり角）を考慮して仮想モデル空間に配置されてもよい。なお、以下においては、説明をより明瞭にする便宜上、眼球モデルＥＲを「眼球モデル（右）」と記したり、眼球モデルＥＬを「眼球モデル（左）」と記したりする場合がある。
【００４３】
図５に、本発明の一実施形態の設計方法により設計される眼鏡レンズのレイアウトを概略的に示す。図５に示されるように、眼鏡レンズには、遠方を見るときのレンズ上の想定位置である遠用アイポイントＦと、近方を見るときのレンズ上の想定位置である近用アイポイントＮとが配置される。遠用アイポイントＦには遠用度数が設定され、近用アイポイントＮには近用度数が設定される。また、主注視線ＬＬ’は、遠用アイポイントＦと近用アイポイントを通って設計されている。主注視線ＬＬ’は、図５に示すように、眼の輻輳を考慮して鼻側に曲がって設計（インセット設計）される。眼鏡レンズは、遠用アイポイントＦから近用アイポイントＮに向かって、主注視線ＬＬ’に沿って度数が累進的に変化する設計とされている。
【００４４】
眼鏡レンズ上の遠用アイポイントＦ及び近用アイポイントＮの位置は、眼鏡レンズに直接刻印される一対の隠しマークＭを基に特定される。本発明の一実施形態の眼鏡レンズは、フレームに枠入れされた状態で遠用アイポイントＦの高さ位置が左右で異なる。そして、本発明の一実施形態の眼鏡レンズは更に、累進帯長が左右で異なる。つまり、累進帯上の加入度曲線、別の言い方をすると累進帯上の加入度の変化が左右で異なる。詳細は後述する。
【００４５】
なお、眼鏡レンズの設計者は、累進帯をデザインして累進屈折力レンズのレイアウトをデザインする。累進帯は一般的に、主注視線上の線であって、且つ、遠用視領域の一点と近用視領域の一点を結ぶ線を含む帯状の領域としてデザインされる。なお、累進帯の定義は、眼鏡レンズメーカーごとに異なり、例えば、主注視線上の線であって、且つ、遠用アイポイントと近用アイポイントとを結ぶ線とされる。また、例えば、主注視線上の線であって、且つ、遠用視領域において累進の開始点と、近用アイポイントとを結ぶ線とされる。
【００４６】
また、以下では、説明の便宜上、フレーム底部からの遠用アイポイントＦの高さを「遠用ＥＰＨ」と記し、フレーム底部からの近用アイポイントＮの高さを「近用ＥＰＨ」と記す。
【００４７】
［図３のＳ１３（左右共通の基準物体面の設定）］
ステップＳ１３では、ステップＳ１２で設定した仮想光学モデルに基づき、異なる物体距離上に配置される複数の物点を含む基準物体面が設定される。なお、基準物体面は左右で共通に設定される。
【００４８】
後述するステップＳ１６では、左右のレンズ夫々について、設定された左右共通の基準物体面に基づいて光線追跡の処理が行われる。このように、左右共通の基準物体面が設定され、設定された基準物体面に基づいて光線追跡の処理が行われることにより、両眼で同じものを見る、つまり両眼視に適した眼鏡レンズを設計することが可能となる。
【００４９】
図４（ａ）及び図４（ｂ）を用いて、ステップＳ１３において左右で共通の基準物体面を設定する具体例を説明する。図４（ａ）及び図４（ｂ）に、仮想モデル空間に設定される左右共通の基準物体面を示す。基準物体面を設定するにあたり、まず両眼球回旋中心ＯＬとＯＲとを結ぶ線分ＯＬＯＲの中点ＭＰを通り且つ線分ＯＬＯＲに垂直な正中面上における、各物体距離上に物点Ｐが設定される。例示的には、下方回旋角αに応じて加入度数に対応する物体距離だけ、中点ＭＰから離れた位置に物点Ｐが設定される。下方回旋角αは、所定累進帯長に合わせて決められる。近方位置（近用度数に対応する物体距離）の下方回旋角αは、レンズの近用位置を光線が通過するときに光線が到達するように決められる。ここでは、眼鏡レンズの設計に使用するため、近用度数に対応する物体距離（近業目的距離であり、ここでは４００ｍｍ）、累進帯内の主注視線ＬＬ’上のサンプル点での度数に対応する物体距離（５００ｍｍ、・・・１０００ｍｍ、・・・）、遠用度数に対応する物体距離（５０００ｍｍなど無限遠とみなせる距離）の夫々に物点Ｐが配置される。図４（ａ）及び図４（ｂ）に示されるように、各物体距離上に配置された物点Ｐを滑らかにつなぐことにより、連続的な正中面物体曲線が設定される。その物体曲線を正中面の両側に一定のルールで展開することにより、基準物体面が形成される。展開する方法としては、例えば、曲線をそのまま横へ移動すること、又は横の距離に応じて曲線を少しずつ遠く又は近く設定することが考えられる。
【００５０】
［図３のＳ１４（処方レンズの設定）］
ステップＳ１４では、装用者の処方情報に基づいて左右の処方レンズが設定される。処方レンズは、基準レンズＢＬと同様に仮想的に設定されるレンズである。ただし、装用者が実際にレンズを装用した状態を想定して処方レンズは設定される。左右の遠用度数が異なる場合は（後述する実施例２・３）、左右で異なる遠用度数が設定される。
【００５１】
［図３のＳ１５（仮想光学モデルの再構築）］
ステップＳ１５では、ステップＳ１２で構築された仮想光学モデルが、装用者が実際にレンズを装用した状態を想定した、眼球モデルＥと、ステップＳ１４で設定した処方レンズとからなる仮想光学モデル（第２仮想光学モデル）に変更される。
【００５２】
具体的には、ステップＳ１５において、眼球モデルＥＲ及びＥＬが、装用者の左右の瞳孔の高さ位置に合わせて設定され、処方レンズはそれぞれ、遠用アイポイントの高さ位置が眼球モデルの瞳孔の高さ位置と同じになるように設定される。言い換えると、ステップＳ１２において高さ位置を変えられた眼球モデルは、その高さ位置がステップＳ１５で装用者の実際の瞳孔の高さ位置に戻される。
【００５３】
例えば装用者の左眼の瞳孔が右眼の瞳孔よりも２ｍｍ低い位置にある場合、ステップＳ１５では、左右の眼球モデルは、眼球モデル（左）が眼球モデル（右）より２ｍｍ低い位置に配置される。そして、左右の処方レンズは、処方レンズ（左）の遠用アイポイントＦの高さ位置が、処方レンズ（右）の遠用アイポイントＦと比べて２ｍｍ低い位置となるように配置される。
【００５４】
つまり、左眼の仮想光学モデルの配置が、ステップＳ１２で構築した仮想光学モデルの配置から２ｍｍ下にシフトする。
【００５５】
図６（ａ）に、ステップＳ１５にて再構築された仮想光学モデルの一例（後述するステップＳ１６の光線追跡処理の一例）を示し、図６（ｂ）に、図６（ａ）の光線追跡処理で得られる累進帯の一例を示す。
【００５６】
図６（ａ）の仮想光学モデルは、ステップＳ１３で設定された基準物体面、ステップＳ１５で再構築された眼球モデルＥ（ＥＲ及びＥＬ）並びに左右の処方レンズＰＬ（ＰＬＲ及びＰＬＬ）よりなる。図６（ａ）に示すように、再構築後の仮想光学モデルでは、左眼側のモデル（眼球モデルＥＲ及び処方レンズＰＬＲ）が右眼側のモデル（眼球モデルＥＬ及び処方レンズＰＬＬ）に対して下にシフトしている。
【００５７】
［図３のＳ１６（光線追跡による処方レンズの設計）］
ステップＳ１６では、左右の処方レンズＰＬ夫々について、ステップＳ１５で再構築した仮想光学モデルと、ステップＳ１３で設定した基準物体面とに基づいて光線追跡処理が行われて、処方レンズＰＬの累進帯が決定される。
【００５８】
具体的には、図６（ａ）に示すように、ステップＳ１３で設定した基準物体面の各物点Ｐと、各眼球回旋中心ＯＲ、ＯＬとを結ぶ光線が設定される。次いで、設定された各光線が通過する処方レンズＰＬ上の位置が算出され、算出された各光線の処方レンズＰＬ上の通過位置における加入度が算出（推定）される。例えば、基準物体面上の近方物点と任意の点で光線追跡処理が行われて、処方レンズＰＬ上の近用アイポイントＮと、近方物点への光線の処方レンズＰＬ上の通過位置が算出される。次いで、近用アイポイントＮに、装用者の近用度数が設定され、更に、同様の光線追跡処理が行われて、その他の各通過点（例えば主注視線ＬＬ’上のサンプル点）の加入度が算出される。
【００５９】
なお、加入度の算出方法は、これに限定されない。他の一例として、基準物体面上の近方物点でのみ光線追跡が行われて、遠用アイポイントＦと近用アイポイントＮを結ぶ主注視線ＬＬ’が決定される。次いで、遠用アイポイントＦと近用アイポイントＮとの距離及び加入度数に基づいて、主注視線ＬＬ’上の各点の加入度が算出される方法が考えられる。また、基準物体面上の少なくとも一つの物点Ｐで光線追跡が行われて、遠用アイポイントＦと近用アイポイントＮを結ぶ主注視線ＬＬ’が決定され、遠用アイポイントＦと近用アイポイントＮとの距離及び加入度数に基づいて、主注視線ＬＬ’上の各点の加入度が算出される方法も考えられる。
【００６０】
例えばスプライン補間等を用いて主注視線ＬＬ’上の各通過位置の加入度のデータポイントを接続することにより、加入度曲線が求まる。
【００６１】
図６（ｂ）に、ステップＳ１６の実行によって設計された処方レンズＰＬを例示する。図６（ｂ）に示すように、ステップＳ１６の実行によって設計された処方レンズＰＬは、装用者の瞳孔高さ位置の左右差に応じて、遠用アイポイントＦ（及び近用アイポイントＮ）の高さ位置が左右で異なる。
【００６２】
このように、ステップＳ１５において、仮想光学モデルは、装用者が実際にレンズを装用した状態を想定して、遠用アイポイントの高さに合わせて眼球モデルＥ及び処方レンズＰＬが配置される。ステップＳ１６において、ステップＳ１５の仮想光学モデルを用いて光線追跡が行われ、左右の処方レンズＰＬの累進帯が決定される。これにより、左右の処方レンズＰＬで累進帯長が異なった累進帯が決定される。
【００６３】
［図３のＳ１７（処方レンズの補正）］
ステップＳ１７では、ステップＳ１６で設計された処方レンズＰＬについて、累進帯上における左右の加入効果の差が更に低減されるように補正を行う。以下、処方レンズＰＬの補正方法について説明する。
【００６４】
《補正方法１》
ステップＳ１６で得られた左右の処方レンズＰＬのうち、遠用アイポイントＦの高さ位置が低い処方レンズＰＬでは、他方の処方レンズＰＬに対し、近用アイポイントＮも遠用アイポイントＦと同じ量だけ低い位置に下がっている。そのため、両眼共通の基準物体面を見るときに、中間から近方にかけて、左右眼加入効果の不一致が起こる。補正方法１では、左右の処方レンズＰＬにおいて近用物体点を見るときの加入効果が一致するように、少なくとも一方の処方レンズＰＬが補正される。
【００６５】
一例として、遠用アイポイントＦの低い処方レンズＰＬを補正せず、遠用アイポイントＦの高い処方レンズＰＬを補正する。具体的には、遠用アイポイントＦの高い処方レンズＰＬにおいて、近用アイポイントＮを主注視線ＬＬ’に沿って下方にシフト（例示的には、他方の近用アイポイントＮの高さ位置に近づけるようにシフト）する。これにより、両眼共通の基準物体面上の近用物体点を見るときの、左右の処方レンズＰＬの加入効果を揃える。
【００６６】
また、遠用アイポイントＦの高い処方レンズＰＬを補正せず、遠用アイポイントＦの低い処方レンズＰＬを補正する。具体的には、遠用アイポイントＦの低い処方レンズＰＬにおいて、近用アイポイントＮを主注視線ＬＬ’に沿って上方にシフト（例示的には、他方の近用アイポイントＮの高さ位置に近づけるようにシフト）する。これにより、両眼共通の基準物体面上の近用物体点を見るときの、左右の処方レンズＰＬの加入効果を揃えてもよい。
【００６７】
また、遠用アイポイントＦの高い処方レンズＰＬの近用アイポイントＮを主注視線ＬＬ’に沿って下方にシフトするとともに、遠用アイポイントＦの低い処方レンズＰＬの近用アイポイントＮを主注視線ＬＬ’に沿って上方にシフト（例示的には、左右の近用アイポイントＮの高さ位置に近づけるように互いをシフト）する。これにより、両眼共通の基準物体面上の近用物体点を見るときの、左右の処方レンズＰＬの加入効果を揃えてもよい。
【００６８】
両眼共通の基準物体面上の近用物体点を見るときの、左右の処方レンズＰＬの加入効果を揃えるように近用アイポイントＮをシフトすることにより、遠用アイポイントＦの高い処方レンズＰＬの累進帯長が遠用アイポイントＦの低い処方レンズＰＬの累進帯長よりも長くなる。
【００６９】
なお、何れのレンズの近用アイポイントＮをシフトするかによって累進帯長が変わる。長い累進帯（緩やかな加入度の変化）を好む装用者には、遠用アイポイントＦの高い処方レンズＰＬの近用アイポイントＮを下方にシフトする補正方法を適用するのが好適である。短い累進帯（少ない眼球回旋角度での近方視、上下幅の狭いフレーム）を好む装用者には、遠用アイポイントＦの低い処方レンズＰＬの近用アイポイントＮを上方にシフトする補正方法を適用するのが好適である。
【００７０】
近用アイポイントＮがシフトされた処方レンズＰＬについて、補正後の近用アイポイントＮの位置で近用度数が得られるように、加入度曲線が補正される。一例として、加入度曲線は、近用アイポイントＮにおける実質加入度の左右差が０．０５Ｄ以下となるように補正される。
【００７１】
補足すると、加入度曲線は、近用アイポイントＮの一点だけが補正されるわけではなく、主注視線ＬＬ’上で加入度が滑らかに変化するように、例えばスプライン補間等を用いて補正される。加入度曲線は、遠用アイポイントＦの高い（言い換えると、累進帯長の長い）処方レンズＰＬの方が緩やかとなる。
【００７２】
《補正方法２》
ステップＳ１７で得られた左右の処方レンズＰＬの加入度曲線のうち、累進帯上における左右の加入効果の差が低減されるように補正を行う。
【００７３】
図６（ａ）を用いて、補正方法２を具体的に説明する。図６（ａ）の横軸はｔａｎαを示す。角度αは、図６（ａ）に示すように、左右の眼球回旋中心の中間点を通る水平線と、累進帯の各点とを結ぶ線とがなす角度の鉛直方向成分である。また、図６（ａ）に示すように、角度αは、回旋方向下方向きにプラスの値を取り、回旋方向上向きにマイナスの値を取る。
【００７４】
例えば、ステップＳ１７で得られた左右の処方レンズＰＬのそれぞれについて、図６（ａ）のｔａｎαにおける主注視線上の各点の加入度を算出することで、左右の処方レンズＰＬのそれぞれの角度ベース（視野角ベース）の加入度曲線を算出する。そして、算出した角度ベースの加入曲線のそれぞれが互いに近づくように、左右の処方レンズＰＬの累進帯を補正する。または、算出した角度ベースの加入度曲線の何れか一方を他方に近づけるように補正し、左右の処方レンズＰＬの一方の累進帯を補正してもよい。
【００７５】
［図３のＳ１８（累進分布の配分）］
ステップＳ１８では、左右夫々について、ステップＳ１７における補正処理によって得られた処方レンズＰＬの累進分布（処方レンズＰＬ全体の曲率分布のうち累進屈折要素を付加する曲率分布）が抽出され、抽出された累進分布が、眼鏡レンズの構造（内面非球面型、外面非球面型、両面累進型、両面複合型等）に応じて処方レンズＰＬの外面と内面に配分される。
【００７６】
［図３のＳ１９（装用状態を考慮した非球面補正）］
ステップＳ１９では、ステップＳ１８による累進分布配分後の処方レンズＰＬの形状に対し、装用条件（例えば角膜頂点間距離、前傾角、フレームあおり角等）に応じた非球面補正量が計算されて付加される。
【００７７】
なお、装用状態を考慮した非球面補正の実施後は、従来の眼鏡レンズも加入度曲線が左右で異なったものとなる。しかし、上平レンズ等の遠用度数がゼロのレンズでは、装用状態を考慮した非球面補正が実質不要である。また、遠用度数が弱いレンズでは、装用状態を考慮した非球面補正による形状の変化が軽微である。そのため、従来の眼鏡レンズでは、アイテム群のうち遠用度数の弱いアイテムについては、非球面補正の実施後であっても左右の加入度曲線がほぼ同じに維持される。
【００７８】
これに対し、本実施例１に係る眼鏡レンズでは、ステップＳ１７における補正処理の実行により、左右の遠用度数とは無関係に、アイテム群に含まれる全てのアイテム（夫々の処方に適するアイテムの全て）で加入度曲線が左右で異なっている。
【００７９】
以上の処理を経て、処方レンズＰＬ（眼鏡レンズの設計データ）の設計が完了する。以下、具体的な数値例を挙げて、本実施例１の設計方法により設計される眼鏡レンズについて説明する。
【００８０】
《数値例１Ａ》
数値例１Ａは、次に示される構成を持つ。
・数値例１Ａ
遠用アイポイントＦ（右）が遠用アイポイントＦ（左）より２ｍｍ上
右レンズ：Ｓ０．００Ｄ、ＡＤＤ２．５０Ｄ、累進帯長１４．１１ｍｍ
左レンズ：Ｓ０．００Ｄ、ＡＤＤ２．５０Ｄ、累進帯長１３．８９ｍｍ
【００８１】
数値例１Ａは、本実施例１の設計方法により設計される眼鏡レンズの一例であり、眼鏡フレームに枠入れされた状態で左右のレンズの遠用アイポイントＦの高さ位置が異なり、且つ、遠用度数がゼロの場合の具体例である。遠用アイポイントＦが高い右レンズの累進帯長が、遠用アイポイントＦが低い左レンズの累進帯長より長くなっている。
【００８２】
図７（ａ）は、数値例１Ａの眼鏡レンズの主注視線上の加入度曲線を示す。図７（ａ）の加入度曲線は、眼鏡レンズ上の主注視線ＬＬ’の高さ位置（単位：ｍｍ、表中では、「主注視線の鉛直座標」と表記）と、加入度数（単位：Ｄ）によって示されている。図７（ａ）に、説明の便宜上、遠用アイポイントＦ、近用アイポイントＮのそれぞれの高さ位置を示す。また、図７（ａ）中、実線は、右レンズの主注視線上の加入度曲線を示し、一点鎖線は、左レンズの主注視線上の加入度曲線を示す。なお、図７（ａ）は、左右のレンズの遠用アイポイントＦの高さ位置が一致しているが、左右のレンズがフレームに枠入れされるときは、右レンズの遠用アイポイントＦが左レンズの遠用アイポイントＦより２ｍｍ上になるように枠入れされる。
【００８３】
図７（ａ）に示すように、数値例１Ａの眼鏡レンズは、左右の近用アイポイントＮの高さ位置が異なる（遠用アイポイントＦと近用アイポイントＮを結ぶ累進帯長が左右で異なる）。これは、基準物体面を見るときに左右レンズの加入効果を揃えるための設計結果である。
【００８４】
図７（ｂ）は、右レンズ（Ｓ０．００Ｄ、ＡＤＤ２．５０Ｄ）、左レンズ（Ｓ０．００Ｄ、ＡＤＤ２．５０Ｄ）の場合の遠用ＥＰＨの左右差（単位：ｍｍ）と累進帯長（単位：ｍｍ）との関係を示す。実線は、左右のレンズのうち遠用アイポイントＦが高いレンズであって、一点鎖線は、左右のレンズのうち遠用アイポイントＦが低いレンズである。図７（ｂ）に示すように、遠用ＥＰＨの左右差が大きいほど、左右のレンズの累進帯長の差が大きくなる。また、左右のレンズのうち遠用アイポイントＦが高いレンズの方が、他方のレンズより累進帯長は長くなる。
【００８５】
図８（ａ）、図８（ｂ）を用いて、本実施例１の設計方法により設計される眼鏡レンズと、従来の設計方法で設計される眼鏡レンズとを比較する。図８（ａ）は、数値例１Ａの眼鏡レンズを説明する図であり、図８（ｂ）は、従来の設計方法で設計された比較例Ａの眼鏡レンズを説明する図である。比較例Ａの眼鏡レンズは、左右対称のレイアウトのレンズが、装用者の瞳孔の高さ位置に合わせてフレームに枠入れされたものである。
【００８６】
比較例１Ａは、次に示される構成を持つ。
・比較例１Ａ
遠用アイポイントＦ（右）が遠用アイポイントＦ（左）より２ｍｍ上
右レンズ：Ｓ０．００Ｄ、ＡＤＤ２．５０Ｄ、累進帯長１４．００ｍｍ
左レンズ：Ｓ０．００Ｄ、ＡＤＤ２．５０Ｄ、累進帯長１４．００ｍｍ
【００８７】
図８（ａ）、図８（ｂ）の各図の横軸はｔａｎαを示す。角度αは、図６（ａ）に示すように、左右の眼球回旋中心の中間点を通る水平線と、累進帯の各点とを結ぶ線とがなす角度の鉛直方向成分である。また、図６（ａ）に示すように、角度αは、回旋方向下方向きにプラスの値を取り、回旋方向上向きにマイナスの値を取る。図８（ａ）、図８（ｂ）の実線は、ｔａｎαにおける主注視線ＬＬ’上の高さ位置の左右差（単位：ｍｍ）を示す（図の縦軸（右））。図８（ａ）、図８（ｂ）の一点鎖線は、ｔａｎαにおける主注視線上の各点の加入度の左右差（単位：Ｄ）を示す（図の縦軸（左））。
【００８８】
図８（ａ）と図８（ｂ）に示されるように、比較例Ａの眼鏡レンズは数値例１Ａの眼鏡レンズに比べて、tanαにおける累進帯の各点の加入度の左右差が大きい。これに対して、数値例１Ａの眼鏡レンズは、図３のステップＳ１７においてステップＳ１６で再構築した仮想光学モデルに基づいて累進帯が設計されるため、ｔａｎαにおける累進帯の各点の加入度の左右差が小さくなる。更に、図３のステップＳ１８の処理により、この左右差が小さくなる。
【００８９】
《数値例１Ｂ》
数値例１Ｂは、次に示される構成を持つ。
・数値例１Ｂ
遠用アイポイントＦ（右）が遠用アイポイントＦ（左）より２ｍｍ上
右レンズ：Ｓ＋４．００Ｄ、ＡＤＤ２．５０Ｄ、累進帯長１４．１４ｍｍ
左レンズ：Ｓ＋４．００Ｄ、ＡＤＤ２．５０Ｄ、累進帯長１３．８６ｍｍ
【００９０】
数値例１Ｂは、本実施例１の設計方法により設計される眼鏡レンズの一例であり、眼鏡フレームに枠入れされた状態で左右のレンズの遠用アイポイントＦの高さ位置が異なり、且つ、遠用度数がプラスの場合の具体例である。遠用アイポイントＦが高い右レンズの累進帯長が、遠用アイポイントＦが低い左レンズの累進帯長より長くなっている。
【００９１】
図９（ａ）は、図７（ａ）と同様の図であり、本実施例１に係る眼鏡レンズの数値例１Ｂにおける加入度曲線を示す。図９（ｂ）は、図７（ｂ）と同様の図であり、数値例１Ｂにおける遠用ＥＰＨの左右差（単位：ｍｍ）と累進帯長（単位：ｍｍ）との関係を示す。
【００９２】
図１０（ａ）、図１０（ｂ）は、それぞれ、図８（ａ）、図８（ｂ）と同様の図であり、数値例１Ｂ、比較例Ｂについて、ｔａｎαにおける主注視線ＬＬ’上の高さ位置の左右差（単位：ｍｍ）、及びｔａｎαにおける加入度数の左右差（単位：Ｄ）を示す図である。数値例１Ｂと比較例Ｂの眼鏡レンズは、遠用度数がプラスのプラスレンズであり、同一の処方値に基づいて設計されている。本実施例１の設計方法を用いて設計されているか否かが、数値例１Ｂと比較例Ｂとの設計上の相違点となる。
【００９３】
比較例Ｂは、次に示される構成を持つ。
・比較例Ｂ
遠用アイポイントＦ（右）が遠用アイポイントＦ（左）より２ｍｍ上
右レンズ：Ｓ＋４．００Ｄ、ＡＤＤ２．５０Ｄ、累進帯長１４．００ｍｍ
左レンズ：Ｓ＋４．００Ｄ、ＡＤＤ２．５０Ｄ、累進帯長１４．００ｍｍ
【００９４】
比較例Ｂの眼鏡レンズは、比較例Ａと同様に、左右対称のレイアウトのレンズが、装用者の瞳孔の高さ位置に合わせてフレームに枠入れされているだけである。図１０（ａ）と図１０（ｂ）に示されるように、比較例Ｂの眼鏡レンズは数値例１Ｂの眼鏡レンズに比べて、ｔａｎαにおける累進帯の各点の加入度の左右差が大きい。
【００９５】
《数値例１Ｃ》
数値例１Ｃは、次に示される構成を持つ。
・数値例１Ｃ
遠用アイポイントＦ（右）が遠用アイポイントＦ（左）より２ｍｍ上
右レンズ：Ｓ−３．００Ｄ、ＡＤＤ２．５０Ｄ、累進帯長１４．０９ｍｍ
左レンズ：Ｓ−３．００Ｄ、ＡＤＤ２．５０Ｄ、累進帯長１３．９１ｍｍ
【００９６】
数値例１Ｃは、本実施例１の設計方法により設計される眼鏡レンズの一例であり、眼鏡フレームに枠入れされた状態で左右のレンズの遠用アイポイントＦの高さ位置が異なり、且つ、遠用度数がマイナスの場合の具体例である。遠用アイポイントＦが高い右レンズの累進帯長が、遠用アイポイントＦが低い左レンズの累進帯長より長くなっている。
【００９７】
図１１（ａ）は、図７（ａ）と同様の図であり、本実施例１に係る眼鏡レンズの数値例１Ｃにおける加入度曲線を示す。図１１（ｂ）は、図７（ｂ）と同様の図であり、数値例１Ｃにおける遠用ＥＰＨの左右差（単位：ｍｍ）と累進帯長（単位：ｍｍ）との関係を示す。
【００９８】
図１２（ａ）、図１２（ｂ）は、それぞれ、図８（ａ）、図８（ｂ）と同様の図であり、数値例１Ｃ、比較例Ｃについて、ｔａｎαにおける主注視線ＬＬ’上の高さ位置の左右差（単位：ｍｍ）、及びｔａｎαにおける加入度数の左右差（単位：Ｄ）を示す図である。数値例１Ｃと比較例Ｃの眼鏡レンズは、遠用度数がマイナスのマイナスレンズであり、同一の処方値に基づいて設計されている。本実施例１設計方法を用いて設計されているか否かが、数値例１Ｃと比較例Ｃとの設計上の相違点となる。
【００９９】
比較例Ｃは、次に示される構成を持つ。
・比較例Ｃ
遠用アイポイントＦ右）が遠用アイポイントＦ（左）より２ｍｍ上
右レンズ：Ｓ−３．００Ｄ、ＡＤＤ２．５０Ｄ、累進帯長１４．００ｍｍ
左レンズ：Ｓ−３．００Ｄ、ＡＤＤ２．５０Ｄ、累進帯長１４．００ｍｍ
【０１００】
比較例Ｃの眼鏡レンズは、比較例Ａと同様に、左右対称のレイアウトのレンズが、装用者の瞳孔の高さ位置に合わせてフレームに枠入れされているだけである。図１２（ａ）と図１２（ｂ）に示されるように、比較例Ｃの眼鏡レンズは数値例１Ｃの眼鏡レンズに比べて、ｔａｎαにおける累進帯の各点の加入度の左右差が大きい。
【０１０１】
以上のように、本実施例１の設計方法により設計される数値例１Ａ、１Ｂ及び１Ｃの眼鏡レンズは、眼鏡レンズをフレームに入れた状態で右レンズの遠用アイポイントの高さ位置と左レンズの遠用アイポイントの高さ位置が異なり、且つ、右レンズの累進帯長と左レンズの累進帯長が異なる。右レンズの累進帯長と左レンズの累進帯長を異ならせる設計とすることで、累進帯上における左右の加入度の差が抑えられる。つまり、装用者の眼に作用する左右の加入効果の差が抑えられる。
【０１０２】
［実施例２］
不同視（左右の視力が異なる）の装用者が近方物点を両眼視するとき、処方度数差に応じた左右のプリズム作用の差に起因して、左右の視線方向にずれが生じる。そのため、左右の視線が通過するレンズ上の位置がそれぞれ、設計上想定される位置と変わってしまう。
【０１０３】
本実施例２では、上記実施例１に対して更に不同視を考慮した眼鏡レンズの設計について説明する。すなわち、本実施例２では、遠用アイポイントの高さ位置が左右で異なり、且つ不同視の装用者に対応した眼鏡レンズの設計について説明する。
【０１０４】
図１３は、本発明の実施例２において眼鏡レンズ設計用コンピュータ２０２がレンズ設計データを作成する動作を示すフローチャートである。なお、以降の実施例においては、前出の実施例と重複する説明を適宜簡略又は省略する。
【０１０５】
［図１３のＳ２１（基準レンズの設定）］
ステップＳ２１では、上記実施例１のステップＳ１１（図３）と同様に左右共通の基準レンズＢＬが設定される。ただし、本実施例２のステップＳ２１では、左右の基準レンズＢＬで遠用度数が同じ値に設定される。
【０１０６】
処方値が例えば、
右レンズ：Ｓ＋２．００  ＡＤＤ２．５０
左レンズ：Ｓ＋４．００  ＡＤＤ２．５０
の場合を考える。この場合、下記に示されるように左右の基準レンズＢＬで遠用度数を平均した同一の値が設定されてもよい。
右レンズ：Ｓ＋３．００  ＡＤＤ２．５０
左レンズ：Ｓ＋３．００  ＡＤＤ２．５０
なお、これに限定されず、左右の基準レンズＢＬの遠用度数を、装用者の左右の何れか一方の値とすることで、左右で同一の値が設定されてもよい。例えば、左右の基準レンズＢＬの遠用度数を、装用者の優位眼の処方値の値としてもよい。また、左右の基準レンズＢＬの遠用度数を、左右の処方値の高い方の値としてもよい。
【０１０７】
［図１３のＳ２２〜Ｓ２９］
ステップＳ２２では、図３のステップＳ１２と同様の処理が行われる。なお、ステップＳ２２においても、実際の装用者の左右の瞳孔の高さ位置の平均をとって眼球モデルＥＲ及びＥＬの高さ位置を決定してもよい。また、左右の眼球モデルのうち、一方の高さ位置は変えずに、他方の高さ位置を上又は下にシフトさせることで、左右の眼球モデルの高さ位置を等しくしてもよい。この場合、左右の眼球モデルのうち、装用者の優位眼の眼球モデルの高さ位置を変えず、他方の高さ位置を上又は下にシフトさせてもよい。また、左右の眼球モデルのうち、装用者の遠用度数の高い眼球モデルの高さ位置を変えず、他方の高さ位置を上又は下にシフトさせてもよい。
【０１０８】
ステップＳ２３〜Ｓ２６では、図３のステップＳ１２〜Ｓ１６と同様の処理が行われる。
【０１０９】
ただし、ステップＳ２２では、ステップＳ２１で設定した左右の遠用度数が同一の値の基準レンズＢＬに基づき仮想光学モデルが構築され、ステップＳ２３では、ステップＳ２２で設定した仮想光学モデルに基づき基準物体面が設定される。
【０１１０】
ステップＳ２４では、装用者の処方情報に基づいて、左右異なる遠用度数が設定される。そして、ステップＳ２５では、ステップＳ２２で構築された仮想光学モデルから、装用者が実際にレンズを装用した状態を想定した、眼球モデルＥとステップＳ２４で設定した処方レンズＰＬとからなる仮想光学モデルに変更される。そして、ステップＳ２６では、左右の処方レンズ夫々について、ステップＳ２５で再構築した仮想光学モデルと、ステップＳ２３で設定した基準物体面とに基づいて光線追跡処理が行われて、処方レンズＰＬの累進帯が決定される。なお、遠用度数の左右差が大きいほど、累進帯長の左右差が大きくなる。
【０１１１】
なお、不同視に対する累進帯長及び加入度曲線の補正は、例えば特許文献２に記載の方法を適用してもよい。
【０１１２】
ステップＳ２７〜Ｓ２９では、図３のステップＳ１７〜Ｓ１９と同様の処理が行われる。
【０１１３】
《数値例２Ｄ》
数値例２Ｄは、次に示される構成を持つ。
・数値例２Ｄ
遠用アイポイントＦ（右）が遠用アイポイントＦ（左）より２ｍｍ上
右レンズ：Ｓ＋５．００Ｄ、ＡＤＤ２．５０Ｄ、累進帯長１４．５２ｍｍ
左レンズ：Ｓ＋３．００Ｄ、ＡＤＤ２．５０Ｄ、累進帯長１３．４８ｍｍ
【０１１４】
数値例２Ｄは、本実施例２の設計方法により設計される眼鏡レンズの一例であり、眼鏡フレームに枠入れされた状態で左右のレンズの遠用アイポイントＦの高さ位置が異なると共に、遠用度数が左右で異なり、且つ、遠用度数がプラスの場合の具体例である。遠用アイポイントＦが高い右レンズの累進帯長が、遠用アイポイントＦが低い左レンズの累進帯長より長くなっている。
【０１１５】
図１４（ａ）は、図７（ａ）と同様の図であり、本実施例２に係る眼鏡レンズの数値例２Ｄにおける加入度曲線を示す。図１４（ｂ）は、図７（ｂ）と同様の図であり、数値例２Ｄにおける遠用ＥＰＨの左右差（単位：ｍｍ）と累進帯長（単位：ｍｍ）との関係を示す。
【０１１６】
図１５（ａ）、図１５（ｂ）は、それぞれ、図８（ａ）、図８（ｂ）と同様の図であり、数値例２Ｄ、比較例Ｄについて、ｔａｎαにおける主注視線ＬＬ’上の高さ位置の左右差（単位：ｍｍ）、及びｔａｎαにおける加入度数の左右差（単位：Ｄ）を示す図である。数値例２Ｄと比較例Ｄの眼鏡レンズは、遠用度数がプラスのプラスレンズであり、同一の処方値に基づいて設計されている。本実施例２の設計方法を用いて設計されているか否かが、数値例２Ｄと比較例Ｄとの設計上の相違点となる。
【０１１７】
比較例Ｄは、次に示される構成を持つ。
・比較例Ｄ
遠用アイポイントＦ（右）が遠用アイポイントＦ（左）より２ｍｍ上
右レンズ：Ｓ＋５．００Ｄ、ＡＤＤ２．５０Ｄ、累進帯長１４．４２ｍｍ
左レンズ：Ｓ＋３．００Ｄ、ＡＤＤ２．５０Ｄ、累進帯長１３．５８ｍｍ
【０１１８】
比較例Ｄに係る眼鏡レンズは、不同視を考慮して左右で累進帯長を異ならせたレンズが、装用者の瞳孔の高さ位置に合わせてフレームに枠入れされたものである。
【０１１９】
図１５（ａ）と図１５（ｂ）に示されるように、比較例Ｄの眼鏡レンズは数値例２Ｄの眼鏡レンズに比べて、ｔａｎαにおける累進帯の各点の加入度の左右差が大きい。
【０１２０】
《数値例２Ｅ》
数値例２Ｅは、次に示される構成を持つ。
・数値例２Ｅ
遠用アイポイントＦ（右）が遠用アイポイントＦ（左）より２ｍｍ上
右レンズ：Ｓ−２．００Ｄ、ＡＤＤ２．５０Ｄ、累進帯長１４．４５ｍｍ
左レンズ：Ｓ−４．００Ｄ、ＡＤＤ２．５０Ｄ、累進帯長１３．５５ｍｍ
【０１２１】
数値例２Ｅは、本実施例２の設計方法により設計される眼鏡レンズの一例であり、眼鏡フレームに枠入れされた状態で左右のレンズの遠用アイポイントＦの高さ位置が異なると共に、遠用度数が左右で異なり、且つ、遠用度数がマイナスの場合の具体例である。遠用アイポイントＦが高い右レンズの累進帯長が、遠用アイポイントＦが低い左レンズの累進帯長より長くなっている。
【０１２２】
図１６（ａ）は、図７（ａ）と同様の図であり、本実施例２に係る眼鏡レンズの数値例２Ｅにおける加入度曲線を示す。図１６（ｂ）は、図７（ｂ）と同様の図であり、数値例２Ｅにおける遠用ＥＰＨの左右差（単位：ｍｍ）と累進帯長（単位：ｍｍ）との関係を示す。
【０１２３】
図１７（ａ）、図１７（ｂ）は、それぞれ、図８（ａ）、図８（ｂ）と同様の図であり、数値例２Ｅ、比較例Ｅについて、ｔａｎαにおける主注視線ＬＬ’上の高さ位置の左右差（単位：ｍｍ）、及びｔａｎαにおける加入度数の左右差（単位：Ｄ）を示す図である。数値例２Ｅと比較例Ｅの眼鏡レンズは、遠用度数がマイナスのマイナスレンズであり、同一の処方値に基づいて設計されている。本実施例２の設計方法を用いて設計されているか否かが、数値例２Ｅと比較例Ｅとの設計上の相違点となる。
【０１２４】
比較例Ｅは、次に示される構成を持つ。
・比較例Ｅ
遠用アイポイントＦ（右）が遠用アイポイントＦ（左）より２ｍｍ上
右レンズ：Ｓ−２．００Ｄ、ＡＤＤ２．５０Ｄ、累進帯長１４．５４ｍｍ
左レンズ：Ｓ−４．００Ｄ、ＡＤＤ２．５０Ｄ、累進帯長１３．４６ｍｍ
【０１２５】
比較例Ｅに係る眼鏡レンズは、比較例Ｄと同様に、不同視を考慮して累進帯長及び加入度曲線が補正された左右非対称のレイアウトのレンズが、装用者の瞳孔の高さ位置に合わせてフレームに枠入れされたものである。
【０１２６】
図１７（ａ）と図１７（ｂ）に示されるように、比較例Ｅの眼鏡レンズは数値例２Ｅの眼鏡レンズに比べて、ｔａｎαにおける累進帯の各点の加入度の左右差が大きい。
【０１２７】
以上のように、本実施例２の設計方法により設計される数値例２Ｄ及び２Ｅの眼鏡レンズは、眼鏡レンズをフレームに入れた状態で右レンズの遠用アイポイントの高さ位置と左レンズの遠用アイポイントの高さ位置が異なり、且つ、右レンズの累進帯長と左レンズの累進帯長が異なる。右レンズの累進帯長と左レンズの累進帯長を異ならせる設計とすることで、累進帯上における左右の加入度の差が抑えられる。つまり、装用者の眼に作用する左右の加入効果の差が抑えられる。
【０１２８】
［実施例３］
本実施例３では、本実施例２に対して更に乱視も考慮した眼鏡レンズの設計について説明する。図１８は、本発明の実施例３において眼鏡レンズ設計用コンピュータ２０２がレンズ設計データを作成する動作を示すフローチャートである。
【０１２９】
［図１８のＳ３１（基準レンズの設定）］
ステップＳ３１では、ホストコンピュータ２００を介して店頭コンピュータ１００より受信した装用者の処方値に基づいて、左右共通の基準レンズＢＬが設定される。ステップＳ３１の基準レンズＢＬは、処方情報として少なくとも遠用度数、加入度数、累進帯長に基づいて設計される。ステップＳ３１の基準レンズＢＬは、図３のステップＳ１１の基準レンズＢＬと同様、仮想的に設定されるレンズであって、左右共通の累進屈折力レンズである。ただし、ステップＳ３１の基準レンズＢＬは、遠用部の縦方向の度数成分を遠用度数（球面度数）として持つ、乱視成分が排除された眼鏡レンズであって、且つ、左右の基準レンズで遠用度数が同じ値に設定される。なお、ステップＳ３１の基準レンズＢＬの中心肉厚は、処方情報や硝材の屈折率等に基づいて決定される。
【０１３０】
ここで、ステップＳ３１において基準レンズＢＬを設定する方法について説明する。処方値が例えば、
右レンズ：Ｓ＋３．００、Ｃ−２．００、ＡＸ４５、ＡＤＤ２．５０
左レンズ：Ｓ＋６．００、Ｃ−４．００、ＡＸ４５、ＡＤＤ２．５０
の場合を考える。この場合、先ず、下記のオイラーの公式により、右レンズの遠用部の縦方向の度数成分としてＳ＋２．００が求まり、左レンズの遠用部の縦方向の度数成分としてＳ＋４．００が求まる。
右レンズ：Ｓ＋２．００、ＡＤＤ２．５０
左レンズ：Ｓ＋４．００、ＡＤＤ２．５０
【０１３１】
（オイラーの公式）
Ｄθ＝Ｄｂ・Ｃｏｓ２θ＋Ｄｃ・Ｓｉｎ２θ
Ｄｂ：ベースカーブ
Ｄｃ：クロスカーブ
θ：乱視軸方向（ベース方向）からの任意の偏角
Ｄθ：θでのカーブ
【０１３２】
続いて、下記に示されるように左右の基準レンズＢＬで遠用度数を平均した同一の値が設定する。
右レンズ：Ｓ＋３．００、ＡＤＤ２．５０
左レンズ：Ｓ＋３．００、ＡＤＤ２．５０
【０１３３】
［図１８のＳ３２〜Ｓ３９］
ステップＳ３２〜Ｓ３６では、図１３のステップＳ２２〜Ｓ２６と同様の処理が行われる。
【０１３４】
ただし、ステップＳ３２では、ステップＳ３１で設定した左右の遠用度数が同一の値の基準レンズＢＬに基づき仮想光学モデルが構築される。そして、ステップＳ３３では、ステップＳ２２で設定した仮想光学モデルに基づき基準物体面が設定される。
【０１３５】
ステップＳ３４では、装用者の処方情報に基づいて、左右異なる遠用度数（乱視度数を含む）が設定される。そして、ステップＳ３５では、ステップＳ３２で構築された仮想光学モデルから、装用者が実際にレンズを装用した状態を想定した、眼球モデルＥとステップＳ３４で設定した処方レンズＰＬとからなる仮想光学モデルに変更される。そして、ステップＳ３６では、左右の処方レンズＰＬの夫々について、ステップＳ３５で再構築した仮想光学モデルと、ステップＳ３３で設定した基準物体面とに基づいて光線追跡処理が行われて、処方レンズの累進帯が決定される。
【０１３６】
なお、乱視及び不同視に対する累進帯長及び加入度曲線の補正は、例えば特許文献２に記載の方法を適用してもよい。
【０１３７】
ステップＳ３７〜Ｓ３９では、図３のステップＳ１７〜Ｓ１９と同様の処理が行われる。
【０１３８】
《数値例３Ｆ》
数値例３Ｆは、次に示される構成を持つ。
・数値例３Ｆ
遠用アイポイントＦ（右）が遠用アイポイントＦ（左）より２ｍｍ上
右レンズ：Ｓ−１．２５、Ｃ−１．００、ＡＸ１６０、ＡＤＤ２．５０、累進帯長１４．５０ｍｍ
左レンズ：Ｓ−１．７５、Ｃ−１．５０、ＡＸ１０、  ＡＤＤ２．５０、累進帯長１３．５０ｍｍ
【０１３９】
数値例３Ｆは、本実施例３の設計方法により設計される眼鏡レンズの一例であり、眼鏡フレームに枠入れされた状態で左右のレンズの遠用アイポイントＦの高さ位置が異なると共に、遠用度数が左右で異なる乱視用眼鏡レンズの具体例である。遠用アイポイントＦが高い右レンズの累進帯長が、遠用アイポイントＦが低い左レンズの累進帯長より長くなっている。
【０１４０】
図１９（ａ）は、図７（ａ）と同様の図であり、本実施例３に係る眼鏡レンズの数値例３Ｆにおける加入度曲線を示す。図１９（ｂ）は、図７（ｂ）と同様の図であり、数値例３Ｆにおける遠用ＥＰＨの左右差（単位：ｍｍ）と累進帯長（単位：ｍｍ）との関係を示す。
【０１４１】
図２０（ａ）、図２０（ｂ）は、それぞれ、図８（ａ）、図８（ｂ）と同様の図であり、数値例３Ｆ、比較例Ｆについて、ｔａｎαにおける主注視線ＬＬ’上の高さ位置の左右差（単位：ｍｍ）、及びｔａｎαにおける加入度数の左右差（単位：Ｄ）を示す図である。数値例３Ｆと比較例Ｆの眼鏡レンズは、乱視用眼鏡レンズであり、同一の処方値に基づいて設計されている。本実施例３の設計方法を用いて設計されているか否かが、数値例３Ｆと比較例Ｆとの設計上の相違点となる。
【０１４２】
比較例Ｆは、次に示される構成を持つ。
・比較例Ｆ
遠用アイポイントＦ（右）が遠用アイポイントＦ（左）より２ｍｍ上
右レンズ：Ｓ−１．２５、Ｃ−１．００、ＡＸ１６０、ＡＤＤ２．５０、累進帯長１４．４０ｍｍ
左レンズ：Ｓ−１．７５、Ｃ−１．５０、ＡＸ１０、  ＡＤＤ２．５０、累進帯長１３．６０ｍｍ
【０１４３】
比較例Ｆに係る眼鏡レンズは、乱視及び不同視を考慮して累進帯長及び加入度曲線が補正された左右非対称のレイアウトのレンズが、装用者の瞳孔の高さ位置に合わせてフレームに枠入れされたものである。
【０１４４】
図２０（ａ）と図２０（ｂ）に示されるように、比較例Ｆの眼鏡レンズは数値例３Ｆの眼鏡レンズに比べて、ｔａｎαにおける累進帯の各点の加入度の左右差が大きい。
【０１４５】
以上のように、本実施例３の設計方法により設計される数値例３Ｆの眼鏡レンズは、眼鏡レンズをフレームに入れた状態で右レンズの遠用アイポイントの高さ位置と左レンズの遠用アイポイントの高さ位置が異なり、且つ、右レンズの累進帯長と左レンズの累進帯長が異なる。右レンズの累進帯長と左レンズの累進帯長を異ならせる設計とすることで、累進帯上における左右の加入度の差が抑えられる。つまり、装用者の眼に作用する左右の加入効果の差が抑えられる。
【０１４６】
以上が本発明の例示的な実施形態の説明である。本発明の実施形態は、上記に説明したものに限定されず、本発明の技術的思想の範囲において様々な変形が可能である。例えば明細書中に例示的に明示される実施例や変形例又は自明な実施例や変形例を適宜組み合わせた内容も本願の実施形態に含まれる。
【０１４７】
例えば、上記実施例３では、乱視及び不同視並びに瞳孔の高さ位置が左右で異なる装用者に対応した眼鏡レンズの設計について説明したが、乱視で且つ瞳孔の高さ位置が左右で異なる装用者（すなわち実施例３に対して不同視でない装用者）に対応した眼鏡レンズの設計も本発明の範疇である。
【０１４８】
また、上記実施例１の設計方法は、ステップＳ１６において光線追跡により累進帯が決定され、その後、ステップＳ１７において累進帯の補正が行われる構成としたが、ステップＳ１７を省略する構成としてもよい。上記実施例２・３の設計方法においても同様に、ステップＳ２７・ステップＳ３７を省略する構成としてもよい。
【０１４９】
［補足］
本発明の一形態に係る左右一対の眼鏡レンズは、それぞれ、遠用視領域及び近用視領域と、遠用視領域と近用視領域との間で屈折力が累進的に変化する累進領域とを備える。眼鏡フレームに枠入れされた左右一対の眼鏡レンズは、遠用視領域の基準点である遠用アイポイントの高さ位置が、左右で異なり、遠用視領域と近用視領域とを結ぶ累進帯長が、左右で異なる。
【０１５０】
また、本発明の一形態では、例えば、眼鏡フレームに枠入れされた左右一対の眼鏡レンズのうち、遠用アイポイントの高さ位置が高い眼鏡レンズの累進帯長が、他方の眼鏡レンズの累進帯長より長い。
【０１５１】
また、本発明の一形態では、例えば、眼鏡フレームに枠入れされた左右一対の眼鏡レンズにおいて、装用者が一の物体距離を見るときの主注視線上の想定位置の加入度の左右差は、０．０５ディオプター以下である。
【０１５２】
また、本発明の一形態では、累進帯長は、例えば、主注視線上であって、且つ、遠用アイポイントと近用アイポイントを結ぶ長さである。また、遠用アイポイントは、例えば、装用者が遠方を見るときの眼鏡レンズ上の想定位置であり、近用アイポイントは、例えば、装用者が近方を見るときの眼鏡レンズ上の想定位置である。
【０１５３】
また、本発明の一形態では、累進帯長は、例えば、主注視線上であって、且つ、遠用視領域の一の点と近用視領域の一の点とを結ぶ長さである。
【０１５４】
また、本発明の一形態に係る眼鏡レンズの製造装置は、それぞれが、遠用視領域及び近用視領域と、遠用視領域と近用視領域との間で屈折力が累進的に変化する累進領域とを有する左右一対の眼鏡レンズを製造する装置であり、装用者の処方情報に基づいて、左右共通の基準レンズを設定する基準レンズ設定手段と、異なる物体距離上に配置される複数の物点から成る基準物体面を、左右の基準レンズに基づいて設定する基準物体面設定手段と、装用者の処方情報に基づいて左右の処方レンズを設定し、且つ、眼鏡フレームに枠入れされた状態において、遠用視領域の基準点である遠用アイポイントの高さ位置が左右で異なるように左右の処方レンズを設定し、設定した左右の処方レンズそれぞれについて、基準物体面上の各物点からの主光線に基づいて、処方レンズの累進帯を設計する設計手段と、を備える。
【０１５５】
また、本発明の一形態に係る製造装置は、更に、累進帯上における左右の加入効果の差が低減されるように、設計手段により設計された左右の処方レンズのうち少なくとも一方の累進帯を補正する補正手段を備える構成としてもよい。
【０１５６】
また、本発明の一形態に係る製造装置において、補正手段は、例えば、左右の処方レンズのうち、一方の処方レンズの近用アイポイントの高さ位置が他方の処方レンズの近用アイポイントの高さ位置に近づくように累進帯に沿ってシフトさせる。
【０１５７】
また、本発明の一形態に係る製造装置において、補正手段は、例えば、左の処方レンズの累進帯の加入度を表す加入度曲線と、右の処方レンズの累進帯の加入度を表す加入度曲線とが近づくように、加入度曲線の少なくとも一方を補正する。
【０１５８】
また、本発明の一形態に係る製造装置において、例えば、左の処方レンズに対応する加入度曲線、右の処方レンズに対応する加入度曲線は、それぞれ、左の処方レンズ、右の処方レンズの累進帯上の基準物体面への視野角ベースの加入度曲線である。
【０１５９】
また、本発明の一形態に係る製造装置において、設計手段は、設定した左右の処方レンズそれぞれについて、基準物体面上の各物点と眼球とを結ぶ光線の当該処方レンズ上の通過位置を推定し、推定した各通過位置の加入度を装用者の処方情報に基づいて算出し、累進帯を設計する構成としてもよい。
【０１６０】
また、本発明の一形態に係る製造装置において、基準物体面設計手段は、左右の基準レンズと、装用者の左右の眼球モデルとを含む第１仮想光学モデルを構築し、構築した第１仮想光学モデルに基づいて基準物体面を設計する構成としてもよい。第１仮想光学モデルは、例えば、左右の基準レンズの遠用アイポイントの高さ位置が左右で等しく、且つ、左右の眼球モデルの瞳孔の高さ位置が左右で等しい。また、設計手段は、左右の処方レンズと、装用者の左右の眼球モデルとを含む第２仮想光学モデルを構築し、構築した第２仮想光学モデルに基づいて累進帯を設計する構成としてもよい。第２仮想光学モデルは、例えば、左右の処方レンズの遠用アイポイントの高さ位置が左右で異なり、且つ、左右の眼球モデルの瞳孔の高さ位置が左右で異なる。この場合において、設計手段は、左右の処方レンズそれぞれについて、基準物体面上の各物点と第２仮想光学モデルの眼球モデルとを結ぶ光線の処方レンズ上の通過位置を推定する。
【０１６１】
また、本発明の一形態に係る眼鏡レンズの設計方法は、それぞれが、遠用視領域及び近用視領域と、遠用視領域と近用視領域との間で屈折力が累進的に変化する累進領域とを有する左右一対の眼鏡レンズを設計する方法であり、装用者の処方情報に基づいて、左右共通の基準レンズを設定する基準レンズ設定ステップと、異なる物体距離上に配置される複数の物点から成る基準物体面を、左右の基準レンズに基づいて設定する基準物体面設定ステップと、装用者の処方情報に基づいて左右の処方レンズを設定し、且つ、眼鏡フレームに枠入れされた状態において、遠用視領域の基準点である遠用アイポイントの高さ位置が左右で異なるように左右の処方レンズを設定し、設定した左右の処方レンズそれぞれについて、基準物体面上の各物点からの主光線に基づいて、処方レンズの累進帯を設計する設計ステップとを含む。
【０１６２】
また、本発明の一形態に係る眼鏡レンズの設計プログラムは、それぞれが、遠用視領域及び近用視領域と、遠用視領域と近用視領域との間で屈折力が累進的に変化する累進領域とを有する左右一対の眼鏡レンズを設計するプログラムであり、装用者の処方情報に基づいて、左右共通の基準レンズを設定する基準レンズ設定ステップと、異なる物体距離上に配置される複数の物点から成る基準物体面を、左右の基準レンズに基づいて設定する基準物体面設定ステップと、装用者の処方情報に基づいて左右の処方レンズを設定し、且つ、眼鏡フレームに枠入れされた状態において、遠用視領域の基準点である遠用アイポイントの高さ位置が左右で異なるように左右の処方レンズを設定し、設定した左右の処方レンズそれぞれについて、基準物体面上の各物点からの主光線に基づいて、処方レンズの累進帯を設計する設計ステップと、をコンピュータに実行させるプログラムである。
【図１】
2018220737.tif 000003
【図２】
2018220737.tif 000004
【図３】
2018220737.tif 000005
【図４】
2018220737.tif 000006
【図５】
2018220737.tif 000007
【図６】
2018220737.tif 000008
【図７】
2018220737.tif 000009
【図８】
2018220737.tif 000010
【図９】
2018220737.tif 000011
【図１０】
2018220737.tif 000012
【図１１】
2018220737.tif 000013
【図１２】
2018220737.tif 000014
【図１３】
2018220737.tif 000015
【図１４】
2018220737.tif 000016
【図１５】
2018220737.tif 000017
【図１６】
2018220737.tif 000018
【図１７】
2018220737.tif 000019
【図１８】
2018220737.tif 000020
【図１９】
2018220737.tif 000021
【図２０】
2018220737.tif 000022
【国際調査報告】
2018220737.tif 000023
2018220737.tif 000024
2018220737.tif 000025
2018220737.tif 000026